(57)【要約】【課題】低コストでありがならスムーズな回転性能を得ることができる魚釣用リールを提供すること。【解決手段】リール本体１２の軸受支持部５０に嵌合支持されるスリーブ状軸受３０により、ハンドル２６の回転操作に連動して回転する駆動軸２８を支持する魚釣用リール１０であって、軸受支持部５０は、駆動軸２８の長手方向軸線Ｏを中心として互いに周方向に離隔した位置でスリーブ状軸受３０を支える複数の受面５６ａ，５６ｂを有し、スリーブ状軸受３０は、外周側環状部４０と内周側環状部４２との間の肉抜き部４４に補強リブ４６を配置して成形され、この補強リブ４６を、互いに隣接する受部５６ａ，５６ｂの間に位置決めする突起４３と凹部５７とを、スリーブ状軸受３０軸受支持部５０とに設けた魚釣用リール。【選択図】図３
2009261368.tif 000002
【特許請求の範囲】
【請求項１】
リール本体の軸受支持部に嵌合支持されるスリーブ状軸受により、ハンドルの回転操作に連動して回転する駆動軸を支持する魚釣用リールであって、
前記軸受支持部は、前記駆動軸の長手方向軸線を中心として互いに周方向に離隔した位置で前記スリーブ状軸受を支える複数の受面を有し、前記スリーブ状軸受は、外周側環状部と内周側環状部との間の肉抜き部に補強リブを配置して成形され、この補強リブを、互いに隣接する前記受部の間に位置決めする位置決め手段を、軸受支持部と軸受とに設けたことを特徴とする魚釣用リール。
【請求項２】
魚釣用リールのリール本体の軸受支持部に嵌合支持され、ハンドルの回転操作に連動して回転する駆動軸を支持するスリーブ状軸受であって、
前記駆動軸の長手方向軸線を中心として互いに周方向に離隔した位置に配置された複数の受面で支えられ、外周側環状部と内周側環状部との間の肉抜き部に補強リブを配置して成形され、前記軸受支持部に設けられた位置決め手段と協働して、この補強リブを、互いに隣接する前記受面間に位置決めする位置決め手段を有することを特徴とするスリーブ状軸受。
【発明の詳細な説明】
【技術分野】
【０００１】
本発明は、リール本体の軸受支持部に嵌合支持されるスリーブ状軸受により、ハンドルの回転操作に連動して回転する駆動軸を支持する魚釣用リールに関する。
【背景技術】
【０００２】
ハンドルの回転操作に連動して回転する魚釣用リールの駆動軸の軸受には、使用時における負荷、要求される回転性能および耐久性、または、コスト等の観点から、ボール軸受等の転がり軸受の他にも、金属または合成樹脂等で滑り軸受として形成されるスリーブ状軸受が開発されている（例えば特許文献１参照）。
【０００３】
このスリーブ状軸受は、モールドを用いて厚肉構造の円形外周部に一体に形成した回り止め係止部および抜け止め係止部を、リール本体に形成した支持凹部内に嵌合し、巻取り操作中における共回りや離脱などの不具合を極めて簡単な構造で防止するものである。
【特許文献１】特開２００７−３１２７１９
【発明の開示】
【発明が解決しようとする課題】
【０００４】
このようなスリーブ状軸受は、特に合成樹脂材料の成形時の熱収縮等により、安定した寸法精度を得ることが困難である。このため、図８の（Ａ）に示すように、スリーブ状軸受６を収容する嵌合凹部８の内面に、互いに対向しかつ平行な一対の受面８ａを互いに直交する方向に配置し、これらの周方向に等間隔に配置した４つの受面８ａでスリーブ状軸受６を支えることにより、スリーブ状軸受６の外周部の寸法がばらついた場合でも、スリーブ状軸受６を確実に支えることができる。
【０００５】
しかし、図８の（Ｂ）に示すように、スリーブ状軸受６の軽量化を図るために、外周側環状部６ａと内周側環状部６ｂとの間の肉抜き部６ｃに補強リブ６ｄを配置した場合には、この補強リブを形成する部位の熱収縮部４の影響により、特に補強リブ６ｄが配置される部位で外周面の寸法精度が不安定となる。
【０００６】
このため、図８の（Ｃ）に示すように、補強リブ６ｄが受面８ａと径方向に整合した位置に配置されると、受面８ａに熱収縮部４が内接するようになる。この熱収縮部４が外周面の一部にのみ形成される場合であっても、受面８ａとの接触面積が低下する。これにより、ハンドルを回転操作すると、スリーブ状軸受６の外周面との間にガタ付が発生し、このガタ付は、ハンドルを回転した際に作用する負荷で次第に増大し、スムーズな回転性能を得ることができなくなる。
【０００７】
本発明は、このような事情に基づいてなされたもので、低コストでありがならスムーズな回転性能を得ることができる魚釣用リールを提供することを目的とする。
【課題を解決するための手段】
【０００８】
上記目的を達成するため、本発明によると、リール本体の軸受支持部に嵌合支持されるスリーブ状軸受により、ハンドルの回転操作に連動して回転する駆動軸を支持する魚釣用リールであって、前記軸受支持部は、前記駆動軸の長手方向軸線を中心として互いに周方向に離隔した位置で前記スリーブ状軸受を支える複数の受面を有し、前記スリーブ状軸受は、外周側環状部と内周側環状部との間の肉抜き部に補強リブを配置して成形され、この補強リブを、互いに隣接する前記受部の間に位置決めする位置決め手段を、軸受支持部と軸受とに設けた魚釣用リールが提供される。
【０００９】
更に、魚釣用リールのリール本体の軸受支持部に嵌合支持され、ハンドルの回転操作に連動して回転する駆動軸を支持するスリーブ状軸受であって、前記駆動軸の長手方向軸線を中心として互いに周方向に離隔した位置に配置された複数の受面で支えられ、外周側環状部と内周側環状部との間の肉抜き部に補強リブを配置して成形され、前記軸受支持部に設けられた位置決め手段と協働して、この補強リブを、互いに隣接する前記受面間に位置決めする位置決め手段を有するスリーブ状軸受が提供される。
【発明の効果】
【００１０】
本発明の魚釣用リールは、外周側環状部と内周側環状部との間の肉抜き部を、リール本体の軸受支持部に設けた互いに隣接する受部間に、確実に位置決めさせ、低コストでありがならスムーズな回転性能を得ることができる。
【００１１】
また、本発明のスリーブ状軸受では、軽量かつ低コストでありながら駆動軸に作用する負荷を確実に支えることができる。
【発明を実施するための最良の形態】
【００１２】
図１から図５は、本発明の好ましい実施形態による魚釣用リール１０を示す。
【００１３】
図１および図２に全体を示すように、本実施形態の魚釣用リール１０は、スピニングリールとして形成してあり、例えば金属で剛性構造に形成されたリールボディ１２ａの側部開口１４ａを蓋部材１２ｂで閉塞したリール本体１２を備え、この蓋部材１２ｂの固定ネジ（図示しない）を取外すことで、内部空間Ｓを外部に露出させることができる。また、リールボディ１２ａの後端側には、切欠き１４ｂを形成し、この切欠き１４ｂを後部蓋部材１２ｃで閉じてあり、この後部蓋部材１２ｃの固定ネジ（図示しない）を取外すことにより、後端側でも内部空間Ｓを開閉することができる。このリール本体１２は、リールボディ１２ａから上方に延出する脚部１２ｄの端部に形成された釣竿取付部１２ｅを介して図示しない釣竿に取り付けられる。
【００１４】
リール本体１２内には、通常のスピニングリールと同様に、ロータ１６を駆動するための筒軸１８を回転駆動する駆動機構２０、および、この筒軸１８内に挿通されたスプール軸２２をこの軸方向に沿って一定のストロークで前後方向に往復動する公知のオシレーティング機構２４が収容されており、このオシレーティング機構２４の摺動子２４ａが止めネジ２４ｂでスプール軸２２の後端部に固定されている。これらの駆動機構２０およびオシレーティング機構２２は、一端にハンドル２６が連結される駆動軸２８により、互いに同期して作動される。
【００１５】
本実施形態の駆動軸２８は中実構造を有し、それぞれリールボディ１２ａと蓋部材１２ｂとに設けられた後述するスリーブ状軸受３０，３０を介してリール本体１２で回転自在に支持されている。この駆動軸２８には、ドライブギヤ３２がその装着軸部３２ａを例えば螺合することで一体的に固定され、両端部には、雄ネジを形成してある。この駆動軸２８の一方の端部に、ハンドル２６の基端部に形成した雌ネジ部２６ａを螺合することで、ハンドル２６と駆動軸２８とを連結することができる。なお、駆動軸２８の両端部には、互いにネジ溝の方向を逆向きでかつ外径の異なる雄ネジを形成し、ハンドル２６の基端部に形成する雌ネジ部２６ａには、それぞれの雄ネジに螺合する雌ネジを同軸上に形成することにより、一本のハンドル２６を駆動軸２８の何れの側にも連結することができる。ハンドル２６と反対側の端部には、保護キャップ３４を取付け、内部空間Ｓ内への異物の浸入を防止することが好ましい。
【００１６】
このハンドル２６の雌ネジ部２６ａの外周部には、環状の突条２６ｂを配置し、リール本体１２から突出する環状突起１３を僅かな間隙を介して囲み、リール本体１２の内部空間Ｓ内に異物が侵入するのを防止することが好ましい。保護キャップ３４についても同様に、ネジ部３４ａの外周部に、異物の侵入を防止するための環状の突条３４ｂを配置することが好ましい。
【００１７】
この魚釣用リール１０は、ハンドル２６を回転操作して駆動軸２８を回転させると、駆動機構２０を形成するドライブギヤ３２と、筒軸１８の後端部の外周に形成したピニオンギヤ１８ａとが筒軸１８を回転駆動する。また、ピニオンギヤ１８ａを介してオシレーティング機構２２が作動され、スプール軸２２の先端に取付けられたスプール２２ａが前後に一定ストロークで往復動する。この筒軸１８上には、転がり式一方向クラッチ３６を介してロータ１６が装着されており、筒軸１８が釣り糸巻回方向に回転されると、筒軸１８と共にロータ１６が回転する。これにより、ロータ１６の腕部１６ａに設けられたベール３８ａおよび釣糸案内装置３８ｂを介して、スプール２２ａ上に釣糸が均等に巻回される。一方向クラッチ３６は、リール本体１２の後部に配置した操作レバーＬを操作することにより、釣糸繰り出し方向への筒軸１８およびロータ１６の逆回転を阻止する逆転防止状態と、正回転および逆回転を許容する規制解除状態とに自由に切換えることができる。
【００１８】
このように駆動機構２０およびオシレーティング機構２２を作動する駆動軸２８は、滑り軸受であるスリーブ状軸受で３０で支えられている。本実施形態では、ドライブギヤ３２側のスリーブ状軸受３０を、反対側のスリーブ状軸受３０よりも径方向および軸方向寸法を大きく形成し、より大きな負荷に耐えることができる構造に形成してある。
【００１９】
駆動軸２８を支えるこれらの２つのスリーブ状軸受３０は、その大きさを除いて、基本的には同様な構造に形成してあるため、ドライブギヤ３２側のスリーブ状軸受３０について説明する。
【００２０】
図３から図５に示すように、本実施形態のスリーブ状軸受３０は、滑り軸受として形成してあり、内周側環状部４０の内周面が摺動面として、ドライブギヤ３２の装着軸部３２ａを回動自在に支える。そして、外周側環状部４２は、本実施形態では蓋部材１２ｂの内部空間Ｓ側に凹設された後述する軸受支持部５０の周壁部５４で支えられる。装着軸部３２ａとドライブギヤ３２との間に形成された環状面との間には、ワッシャー２９が介挿されて、ピニオンギヤ１８ａとドライブギヤ３２との噛合い状態が調整されている。
【００２１】
このスリーブ状軸受３０は、内周側環状部４０と外周側環状部４２との間に複数の肉抜き部４４を形成し、隣接する肉抜き部４４間には補強リブ４６を配置した構造を有し、例えばＡＢＳ、ＰＯＭ等の合成樹脂材料で一体構造に成形される。
【００２２】
内周側環状部４０は、摺動面を形成する内周面を有し、この内周側環状部４０と外周側環状部４２との間で軸方向中間部に中間壁部４８が形成されており、この中間壁部４８の両側で、肉抜き部４４がそれぞれ外方に開口する。これらの中間壁部４８は、周方向に沿って同一面上に配置してある。また、補強リブ４６は、中間壁部４８と一体に形成され、中間壁部４８から軸方向に沿って延び、その外端面が内側環状部４０および外側環状部４２の端面と面一状に形成される。これにより、スリーブ状軸受３０は、その全体の強度を維持しつつ軽量構造に形成され、本実施形態では蓋部材１２ｂの内部空間Ｓ側に凹設された軸受支持部５０に装着される。なお、補強リブ４６は、強度が維持できれば、内周側環状部４０および外周側環状部４２の端面との軸方向内方に凹んでいたり、外方に突出してもよい。
【００２３】
本実施形態のスリーブ状軸受３０は、軸方向両端面を互いに平行に形成し、それぞれの端面内に内周側環状部４０および外周側環状部４２のそれぞれの端面が配置されている。
【００２４】
このように形成するスリーブ状軸受３０は、肉抜き部４４が軸方向外方に大きく開口すると共に、隣接する肉抜き部４４間に補強リブ４６が配置されることにより、図４の（Ａ）に符号Ｃおよび鎖線で示すように、この補強リブ４６を配置した部位の外側環状部４０の外周面は、成形時における成形材料のヒケすなわち熱収縮等による変形部が形成され、これらの変形部Ｃが、外側環状部４２の外周面の一部を内方に収縮させる。このような、変形部Ｃは、肉厚が厚い部分ほど変形量が大きくなり、例えば周方向では、補強リブ４６の中央部位で最も大きくなる。
【００２５】
一方、図４の（Ｂ）に示すように、軸受支持部５０は、駆動軸２８が突出する蓋部材１２ｂの開口部５２を囲む周壁部５４と、この周壁部５４と開口部５２との間に形成される環状面５６とを有し、周壁部５４内に収容したスリーブ状軸受３０の外周側環状部４２を、この環状面５６を介して支えることができる。このスリーブ状軸受３０の周部を支えるため、周壁部５４には、駆動軸２８の長手方向軸線Ｏに直交する平面内で、この長手方向軸線Ｏを通りかつ互いに直交する軸線ｘ，ｙ方向に沿ってそれぞれ対向しかつ平行な一対の受面５６ａ，５６ｂを形成してある。
【００２６】
このように、受面５６ａ，５６ｂを形成することにより、周壁部５４の全体構造が、例えば成形時にの熱収縮等で変形した場合でも、スリーブ状軸受３０を直接保持する部位を正確に形成することができる。
【００２７】
なお、受面５６ａ，５６ｂは、互いに対向させた部位に設けることに代え、長手方向軸線Ｏを中心として互いに周方向に等間隔に離隔した位置に配置できるものであれば、４箇所に限らない。また、これらの受面５６ａ，５６ｂは平坦状の面で形成することが好ましい。
【００２８】
そして、このような受面５６ａ，５６ｂの間に、補強リブ４６を位置決めするため、本実施形態では、スリーブ状軸受３０の外周側環状部４２の端面から位置決め手段として突部４３を、隣接する補強リブ４６の間から軸方向外方に突出させ、軸受支持部５０の環状面５６に、位置決め手段として、受部５６ａ，５６ｂの内周側に凹部５７を形成してある。これらの突部４３を、複数の凹部５７の一つに嵌合することにより、図３に示すように、スリーブ状軸受３０が軸受支持部５０の周壁部５４内に挿入され、外周側環状部４２の端面が軸受支持部５０の環状面５６に当接する。スリーブ状軸受３０に作用する回転方向の力は、突部４３を介してリール本体１２に伝達され、スリーブ状軸受３０の回転が阻止される。
【００２９】
このスリーブ状軸受３０を軸受支持部５０内に装着する際、突部４３が図４の（Ｃ）に示すように、凹部５７に嵌合してない状態では、スリーブ状軸受３０の外周側環状部４２が軸受支持部５０の周壁部５４よりも突出することで、容易に判断することができる。この場合には、突部４３を環状面５６上で摺動させて凹部５７と整合する位置までスリーブ状軸受３０を回動することで、補強リブ４６を、受部５６ａ，５６ｂの間に位置決めし、受部５６ａ，５６ｂに対して変形部Ｃが形成されてない部位を配置することができる。
【００３０】
これにより、外周側環状部４２と内周側環状部４０との間の肉抜き部４４を、リール本体１２の軸受支持部５０に設けた互いに隣接する受部５６ａ，５６ｂ間に、確実に位置決めさせ、低コストでありがなら魚釣用リール１０のスムーズな回転性能を得ることができる。
【００３１】
また、このようなスムーズな回転性能を与えるスリーブ状軸受３０は、軽量かつ低コストでありながら、駆動軸２８に作用する負荷をリール本体１２に確実に伝達し、支えることができる。
【００３２】
図６は、変形例によるスリーブ状軸受３０を示す。なお、以下に示す種々の変形例または実施形態は、基本的には上述の実施形態と同様であるため、同様な部位には同様な符号を付し、その詳細な説明を省略する。
【００３３】
図６に示すスリーブ状軸受３０は、位置決め手段として、外周側環状部４２の外周面に矩形状の凹部４３ａを形成し、軸受収容部５０の環状面５６および周壁部５４から矩形状の突部５７ａを突出させてある。これらの突部４３ａと凹部５７ａは、互いに同数であってもよく、一つの突部５７ａに対して複数の凹部５７ａを形成してもよい。
【００３４】
また、図７は、位置決め手段として、スリーブ状軸受３０の外周側環状部４２の端面に円筒状の凹部４３ｂを形成し、軸受収容部５０の環状面５６から、この凹部４３ｂに嵌合する円筒状突部５７ｂを突出させて形成してある。
【００３５】
これらの図６および図７に示す変形例も、上述の位置決め手段と同様な効果が得られる。
【００３６】
以上、本発明の種々の実施形態および変形例について説明したが、本発明は何れの実施形態に限定されるものではなく、種々の変形または変更が可能なことは明らかである。例えば、図６に示す凹部４３ａを外周側環状部４２の軸方向に沿う全長にわたって形成することもでき、この場合には、スリーブ状軸受３０をいずれの方向からも軸受支持部５０内に装着することができる。
【図面の簡単な説明】
【００３７】
【図１】本発明の好ましい実施形態による魚釣用リールの全体構造を示す部分断面図。
【図２】図１のＩＩ−ｉｉ線に沿う断面図。
【図３】軸受支持部を示す拡大図。
【図４】図１のスリーブ状軸受および軸受支持部を示し、（Ａ）はスリーブ状軸受の側面図、（Ｂ）は軸受支持部の説明図、（Ｃ）は軸受支持部にスリーブ状軸受を装着する際の説明図。
【図５】図１のスリーブ状軸受の斜視図。
【図６】変形例によるスリーブ状軸受および軸受支持部の説明図。
【図７】他の変形例によるスリーブ状軸受および軸受支持部の説明図。
【図８】スリーブ状軸受の薄肉化により生じる課題の説明図。
【符号の説明】
【００３８】
１０…魚釣用リール、１２…リール本体、２６…ハンドル、２８…駆動軸、３０…スリーブ状軸受、４０…内周側環状部、４２…外周側環状部、４３…突部（位置決め手段）、４４…肉抜き部、４６…補強リブ、５０…軸受支持部、５６ａ，５６ｂ…受面、５７…凹部（位置決め手段）。
【図１】
2009261368.tif 000003
【図２】
2009261368.tif 000004
【図３】
2009261368.tif 000005
【図４】
2009261368.tif 000006
【図５】
2009261368.tif 000007
【図６】
2009261368.tif 000008
【図７】
2009261368.tif 000009
【図８】
2009261368.tif 000010